(57)【要約】【課題】フレキシブル基板において、必要な柔軟性を確保しながら、フレキシブル基板のインピーダンスを抑制して信号波形の乱れを防止するとともに、フレキシブル基板自身からの輻射を低減させ、さらに撮像装置に用いられるフレキシブル基板において、固体撮像装置に加わる外力負荷を低減させるフレキシブル基板を提供することにある。【解決手段】信号端子を有する電子デバイスに接続されるフレキシブル基板であって、絶縁層上に配置され、信号端子から信号を伝送する伝送径路と、絶縁層を介して伝送径路と対向して配置され、接地させられる接地径路を含む導体層とを備え、信号の伝送方向に沿って、第１の領域と、第１の領域に隣接する第２の領域とに区分され、第１の領域における導体層の幅が、第２の領域における導体層の幅より小さく形成されている。【選択図】図４
2009231684.tif 000002
【特許請求の範囲】
【請求項１】
信号端子を有する電子デバイスに接続されるフレキシブル基板であって、
絶縁層上に配置され、上記信号端子から信号を伝送する伝送径路と、
上記絶縁層を介して上記伝送径路と対向して配置され、接地させられる接地径路を含む導体層とを備え、
上記信号の伝送方向に沿って、第１の領域と、上記第１の領域に隣接する第２の領域とに区分され、
上記第１の領域における上記導体層の幅が、上記第２の領域における上記導体層の幅より小さく形成されていることを特徴とするフレキシブル基板。
【請求項２】
上記第１の領域において、上記伝送径路の端部から上記導体層の端部までの距離は、上記伝送径路の幅の５倍以上で形成されている、請求項１に記載のフレキシブル基板。
【請求項３】
上記第１の領域における信号の伝送方向に対して直交する方向に曲げられる又は湾曲させられる方向が、上記第２の領域に隣接する別の第１の領域における曲げられる又は湾曲させられる方向に対して逆方向である、請求項１又は２に記載のフレキシブル基板。
【請求項４】
上記伝送径路の信号の伝送方向が、単一方向である、請求項１から３のいずれか１つに記載のフレキシブル基板。
【請求項５】
上記第１の領域における導体層の端部と上記第２の領域における導体層の端部とを接続する導体層の端部が、直線形状で形成されている、請求項１から４のいずれか１つに記載のフレキシブル基板。
【請求項６】
上記第１の領域における導体層の端部と上記第２の領域における導体層の端部とを接続する導体層の端部が、曲線形状で形成されている、請求項１から４のいずれか１つに記載のフレキシブル基板。
【請求項７】
上記電子デバイスがプリズム部材を備える受光素子である、請求項１に記載のフレキシブル基板。
【発明の詳細な説明】
【技術分野】
【０００１】
本発明は、電子デバイスに接続されるフレキシブル基板に関し、より特定的には、テレビジョンカメラ、ビデオカメラなどの撮像装置に用いられるフレキシブル基板に関する。
【背景技術】
【０００２】
従来、電子デバイスからの信号の伝送を行うために、例えばフレキシブル基板が広く用いられている。図１は、電子デバイス（例えば、撮像装置に用いられる固体撮像素子とプリズムとが接合された撮像ブロック１０）に用いられるフレキシブル基板１１及び撮像ブロック１０の模式斜視図であり、図２は、フレキシブル基板１１のＸ方向から見た模式断面図である。
【０００３】
図２に示すように、従来のフレキシブル基板１１は、信号を伝送する伝送径路（配線パターン）１３と、絶縁層１４と、各種放射ノイズを効果的にシールドする導体層１５（グランドパターン）とを備える。図２において、フレキシブル基板１１の絶縁層１４の一方の面には、伝送径路１３が形成され、他方の面には、導体層１５が、例えば網目状に形成されている。このような構成を有するフレキシブル基板１１は、図１において、撮像ブロック１０から生成された信号を伝送径路１３に通してコネクタ１２まで伝送する。
【０００４】
また、フレキシブル基板１１において、信号が伝送される際には、フレキシブル基板１１から輻射が生じるが、絶縁層１４の他方の面に導体層１５が形成されていることにより、この輻射が低減される。このように導体層１５を用いて輻射を低減させる効果は、一般的にシールド効果と呼ばれている。このようなシールド効果は、様々な電子デバイスに用いられるフレキシブル基板にて用いられている。
【０００５】
また近年、固体撮像素子を３個用いる撮像装置として３板式カラーカメラ（以下３板カメラという）が開発され広く用いられるようになってきている。また、このような固体撮像素子を用いたデジタルカメラ及びデジタルビデオカメラの高画質化が進んでいる。特にデジタルビデオカメラにおいて、テレビのハイビジョン化により、従来のスタンダード画質からハイビジョン画質へと進んでいる。その結果、画素数の拡大及び色分解能力の向上が図られ、光の３原色ごとに固体撮像素子を割り当てる３ＣＣＤ（Ｃｈａｒｇｅ  Ｃｏｕｐｌｅｄ  Ｄｅｖｉｃｅ）方式及び３ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）方式が主流となりつつある。このような従来の３板カメラの構造について、図面を用いて説明する。
【０００６】
図３は、従来の３板カメラにおける撮像ブロック１０の模式断面図である。図３に示すように、撮像ブロック１０は、３板カメラにおける図示しない撮像レンズを通過して入射された光を所定の色成分に分解する色分解プリズム１と、複数の固体撮像素子２ｒ、２ｇ、２ｂと、各々の固体撮像素子が搭載された撮像素子基板３ｒ、３ｇ、３ｂとにより構成されている。
【０００７】
このような構成を有する従来の３板カメラでは、３色の被写体像の重ね合わせを精度良く行う必要がある。重ね合わせの精度、すなわちレジストレーションの精度が悪いと色ずれやモアレ偽信号が発生し、画質は微妙に劣化する。従って、レジストレーションの精度低下が生じないように、それぞれの固体撮像素子２ｒ、２ｇ、２ｂへ加わる外力負荷を低減させる必要がある。
【０００８】
また、このような従来の３板カメラを有する撮像装置は、上述したようなフレキシブル基板１１が用いられている（図１参照）。図１に示すように、フレキシブル基板１１は、各固体撮像素子２ｒ、２ｇ、２ｂと接続されている。これにより、フレキシブル基板１１を介して各固体撮像素子２ｒ、２ｇ、２ｂに、フレキシブル基板１１の曲げによる応力や外力負荷が加えられる。
【０００９】
そのため、従来の撮像装置においては、フレキシブル基板の曲げによる応力の発生を低減させるフレキシブル基板が提案されている（例えば、特許文献１参照）。
【００１０】
特許文献１においては、フレキシブル基板は、信号を伝送する伝送径路（配線パターン）が形成されている面の反対面に網目状のグランドパターンを形成している。このようなフレキシブル基板の構造においては、より一層の柔軟性を得ることができるため、フレキシブル基板の曲げによる応力の発生を小さくすることができる。
【特許文献１】特開平９−２９８６２６号公報
【発明の開示】
【発明が解決しようとする課題】
【００１１】
近年、このような３板カメラにおけるそれぞれの固体撮像素子の位置決めは、μｍオーダの精度が要求されつつあり、例えばそれぞれの固体撮像素子２ｒ、２ｇ、２ｂの位置決めは光軸方向では焦点深度があるため数十μｍ、被写体映像面内方向ではμｍオーダの精度を必要とするようになりつつある。
【００１２】
特許文献１のフレキシブル基板においては、より一層に柔軟にするために、導体層のグランドパターン及び配線パターンの幅を極力細く形成して、フレキシブル基板へ付加される外力負荷を大幅に低減させることができる。しかしながら、このようなフレキシブル基板では、信号配線で発生する電界をグランドパターンで受ける割合が減少して配線インピーダンスが増加し、信号波形の乱れやフレキシブル基板自身からの輻射が増大して不要輻射の大きな要因となるという問題がある。
【００１３】
また一方、図２に示すようなフレキシブル基板１１の導体層１５が絶縁層１４を全面的に形成される場合、フレキシブル基板１１の柔軟性が低下し、フレキシブル基板１１の取り回しが困難となる場合がある。これにより、固体撮像素子の信号端子がフレキシブル基板に固定されているため、温度変化や応力負荷などによりフレキシブル基板に付加される外力負荷及びフレキシブル基板の曲げによる応力が、そのまま固体撮像素子へ伝達されて固体撮像素子へ加えられる外力負荷を充分に低減することはできず、作用する外力の大きさによっては、撮像素子の位置決め精度に影響を与える場合があり、この位置ずれによるレジストレーションの精度低下が問題となる。
【００１４】
このように、電子デバイス、特に固体撮像素子を備えるテレビジョンカメラ、ビデオカメラなどの撮像装置に用いられるフレキシブル基板に関して、フレキシブル基板の柔軟性及びそのシールド効果の両立が求められている。
【００１５】
従って、本発明の目的は、上記問題を解決することにあって、フレキシブル基板において、必要な柔軟性を確保しながら、フレキシブル基板のインピーダンスを抑制して信号波形の乱れを防止するとともに、フレキシブル基板自身からの輻射を低減させることができるフレキシブル基板を提供することにある。
さらに撮像装置に用いられるフレキシブル基板において、固体撮像装置に加わる外力負荷を低減させるフレキシブル基板を提供することにある。
【課題を解決するための手段】
【００１６】
上記目的を達成するために、本発明は以下のように構成する。
【００１７】
本発明の第１態様によれば、信号端子を有する電子デバイスに接続されるフレキシブル基板であって、絶縁層上に配置され、上記信号端子から信号を伝送する伝送径路と、上記絶縁層を介して上記伝送径路と対向して配置され、接地させられる接地径路を含む導体層とを備え、上記信号の伝送方向に沿って、第１の領域と、上記第１の領域に隣接する第２の領域とに区分され、上記第１の領域における上記導体層の幅が、上記第２の領域における上記導体層の幅より小さく形成されていることを特徴とするフレキシブル基板を提供する。
【００１８】
本発明の第２態様によれば、上記第１の領域において、上記伝送径路の端部から上記導体層の端部までの距離は、上記伝送径路の幅の５倍以上で形成されている、第１態様に記載のフレキシブル基板を提供する。
【００１９】
本発明の第３態様によれば、上記第１の領域における信号の伝送方向に対して直交する方向に曲げられる又は湾曲させられる方向が、上記第２の領域に隣接する別の第１の領域における曲げられる又は湾曲させられる方向に対して逆方向である、第１態様又は第２態様に記載のフレキシブル基板を提供する。
【００２０】
本発明の第４態様によれば、上記伝送径路の信号の伝送方向が、単一方向である、第１態様から第３態様のいずれか１つに記載のフレキシブル基板を提供する。
【００２１】
本発明の第５態様によれば、上記第１の領域における導体層の端部と上記第２の領域における導体層の端部とを接続する導体層の端部が、直線形状で形成されている、第１態様から第４態様のいずれか１つに記載のフレキシブル基板を提供する。
【００２２】
本発明の第６態様によれば、上記第１の領域における導体層の端部と上記第２の領域における導体層の端部とを接続する導体層の端部が、曲線形状で形成されている、第１態様から第４態様のいずれか１つに記載のフレキシブル基板を提供する。
【００２３】
本発明の第７態様によれば、上記電子デバイスがプリズム部材を備える受光素子である、第１態様に記載のフレキシブル基板を提供する。
【発明の効果】
【００２４】
本発明によれば、絶縁層上に配置され、信号端子から信号を伝送する伝送径路と、絶縁層を介して伝送径路と対向して配置され、接地させられる接地径路を含む導体層とを備えるフレキシブル基板は、信号の伝送方向に沿って、第１の領域と、第１の領域に隣接する第２の領域とに区分され、第１の領域における導体層の幅が第２の領域における導体層の幅より小さく形成されている構造が採用されているので、フレキシブル基板は、第１の領域において、必要な柔軟性を確保することができる。これにより、フレキシブル基板は、第１の領域において、フレキシブル基板の信号の伝送方向（長手方向）に対して直交する方向と平行に曲げられる又は湾曲させられることができ、フレキシブル基板の曲げ又は湾曲による応力を低減させることができる。
さらに、フレキシブル基板は、接地させられる接地径路を含む導体層を有する構造が採用されているので、フレキシブル基板のインピーダンスを抑制して、信号波形の乱れを防止するとともに、必要なシールド効果を確保して、フレキシブル基板自身からの輻射を低減することができる。
【００２５】
また、フレキシブル基板は、柔軟性を有しているので、撮像素子基板に接続されているフレキシブル基板から加えられる外力負荷を著しく低減させることができる。その結果、固体撮像素子へ付加されるスプリングバックなどの応力負荷を著しく低減させることができる。従って、比較的簡単な構造にて、フレキシブル基板において必要な柔軟性を確保しながら、フレキシブル基板自身からの輻射の増大を抑制して、固体撮像素子へ付加される応力負荷を低減することができ、レジストレーションの精度低下を抑制可能なフレキシブル装置を提供することができる。
【００２６】
このように、本発明に係るフレキシブル基板は、フレキシブル基板自身からの輻射の低減と、固体撮像装置に加わる外力負荷の低減との両立をすることができる。
【発明を実施するための最良の形態】
【００２７】
以下に、本発明に係る実施形態を、図面を参照しながら説明する。
【００２８】
本発明の実施形態に係るフレキシブル基板２１を備えた撮像装置の一例である３板カメラの構造を有する撮像ブロック２０及びフレキシブル基板２１の模式断面図を図４に示す。図４に示すように、本実施形態の撮像ブロック２０は、３つのプリズム部材１ｒ、１ｇ、１ｂが接着剤を介して接合され、それぞれの固体撮像素子２ｒ、２ｇ、２ｂが接着剤を介して接合された構造を有している。なお、図４に示す撮像ブロック２０の構造自体は、図３に示す撮像ブロック１０と同じ構造であるため、同じ構成部材には同じ参照符号を付してその説明を省略する。
【００２９】
ここで、図３に戻って、本実施形態に係る３板カメラの構造及びその機能について、説明する。図３に示すように、色分解プリズム１は、３つのプリズム部材１ｒ、１ｇ、１ｂが互いに密着して接合されることより構成され、入射光を３つの色成分に分解する３色分解プリズム部材である。それぞれのプリズム部材１ｒ、１ｇ、１ｂの接合界面は、ダイクロイックミラー４、５となっている。また、３つのプリズム部材１ｒ、１ｇ、１ｂの光の出射面には、個別に固体撮像素子２ｒ、２ｇ、２ｂが接着剤を介して固定されている。
【００３０】
また、図３において、３色分解プリズム１に入射した光束７は、ダイクロイックミラー４、５によって、３つの色成分、すなわち光の３原色の光束６ａ、６ｂ、６ｃに色分解され、各々の固体撮像素子２ｒ、２ｇ、２ｂに受光される。ダイクロイックミラー４、５にて３原色に分解反射された光束のうちの光束６ａ、６ｂは、それぞれのプリズム部材１ｇ、１ｂ内にて再度全反射されることで、裏返し像（鏡像）ではなく表像を形成する光束として固体撮像素子２ｇ、２ｂに受光される。それぞれの固体撮像素子２ｇ、２ｂ、２ｒにて受光されたそれぞれの光束は、それぞれの撮像素子基板３ｒ、３ｇ、３ｂにて撮像信号の処理がなされて、撮像信号が合成されたカラーテレビジョン信号が得られる。
【００３１】
次に、図４に戻って、本実施形態の撮像ブロック２０は、上述したように、３つのプリズム部材１ｒ、１ｇ、１ｂが接着剤を介して接合され、それぞれの固体撮像素子２ｒ、２ｇ、２ｂが接着剤を介して接合された構造を有している。さらに、図４に示すように、それぞれの固体撮像素子２ｒ、２ｇ、２ｂには、撮像素子基板３ｒ、３ｇ、３ｂのそれぞれ及びフレキシブル基板２１が接続されている。このようなフレキシブル基板２１としては、例えばＦＦＣ（Ｆｌｅｘｉｂｌｅ  Ｆｌａｔ  Ｃａｂｌｅ）、ＦＰＣ（Ｆｌｅｘｉｂｌｅ  Ｐｒｉｎｔｅｄ  Ｃｉｒｃｕｉｔ）等が用いられ、各撮像素子基板３ｒ、３ｇ、３ｂとコネクタ２２が接続される画像制御基板（図示せず）との間の信号の伝送を行う。
【００３２】
ここで、本実施形態のフレキシブル基板２１の一部を伝送径路３１から見た模式平面図を図５に示す。また、図６は、図５におけるフレキシブル基板２１のＢ方向から見た模式断面図であり、図７は、図５におけるフレキシブル基板２１のＣ方向から見た模式断面図である。図５〜図７を参照して、本実施形態のフレキシブル基板２１の構造について説明する。なお、図５においては、後述する絶縁層３２を透過して図示されている。
【００３３】
フレキシブル基板２１は、図５に示すように、信号の伝送方向（矢印Ｄ方向）に沿って、第１の領域３５と、第１の領域３５に隣接する第２の領域３６とに区分される。このように、フレキシブル基板２１は、第１の領域３５と第２の領域３６とを互いに接続して連結させた形態を有している。また、フレキシブル基板２１は、伝送径路３１、絶縁層３２及び導体層３３を備えている。
【００３４】
伝送径路３１は、上述したように各撮像素子基板３ｒ、３ｇ、３ｂより信号の伝送を行い、図６に示すように、絶縁層３２の図示上面に複数形成されている。絶縁層３２は、絶縁性を有する部材で形成される。また、複数の伝送径路３１は、導体材料にて形成され、絶縁層３２の表面に、例えば接着剤を介して固定されている。具体的には、伝送径路３１は、例えば箔状の銅により、信号を伝送するための導体線路が形成されている。
【００３５】
導体層３３は、図６に示すように、絶縁層３２の図示下面の略全体に形成されている。導体層３３は、導体材料を含む材料にて形成されている。具体的には、導体層３３は、例えば、銅又はアルミニウムなどの導体材料により、絶縁層３２の図示下面の略全体に、グランド（例えば、地面）に接続させられる接地径路を含んで形成され、絶縁層３２の表面に、例えば接着剤を介して固定されている。これにより、導体層３３が、伝送径路３１で発生する電界を受けることができる。その結果、フレキシブル基板２１は、フレキシブル基板２１自身からの輻射を低減させることができる。
【００３６】
次に、図６又は図７に示すように、導体層３３は、第１の領域３５においては、幅ｗ３で形成され、第２の領域３６においては、幅ｗ５（フレキシブル基板２１の幅に相当）で形成されている。図６又は図７に示すように、第１の領域３５における導体層３３の幅ｗ３は、第２の領域３６における導体層３３の幅ｗ５以下であり、伝送径路３１の幅ｗ４以上である。
【００３７】
また、第１の領域３５において、第１の領域３５における導体層３３の端部と第２の領域３６における導体層３３の端部とを接続する導体層３３の端部は、直線形状で形成されている。ここで、本実施形態に係る端部とは、信号の伝送方向（矢印Ｄ方向）に直交する方向における幅を構成する端部に相当する。つまり、図５に示すように、第１の領域３５の導体層３３において、台形状の切り欠け部３４が形成されている。これにより、フレキシブル基板２１における第１の領域３５は、第２の領域３６に比べて、導体層３３の領域が小さいので、より一層に柔軟性を有することができる。その結果、第１の領域３５において、フレキシブル基板２１は、信号の伝送方向に対して直交する方向と平行に曲げられる又は湾曲されることができる。
【００３８】
また、上述したように、第１の領域３５における導体層３３の幅が、対向して配置される複数の伝送径路３１の幅ｗ４以上に形成されており、望ましくは、図５又は図６に示すように、第１の領域３５において、伝送径路３１の端部から導体層３３の端部までの距離ｗ２が伝送径路３１の幅ｗ１の５倍以上の大きさで形成されている。これにより、第１の領域３５において、導体層３３の幅が複数の伝送径路３１の幅ｗ４の場合に比べて、さらに大きい導体層３３の領域を確保することができる。その結果、伝送径路３１で発生する電界を確実に受けることができ、フレキシブル基板２１自身からの輻射をさらに低減させることができる。
【００３９】
絶縁層３２は、図５に示すように、全ての領域において、幅ｗ５（第２の領域３６に相当）で形成されている。また、第１の領域３５において、絶縁層３２は、導体層３３と同様の形状で形成されていてもよい。従って、第１の領域における絶縁層３２の幅は、第２の領域における絶縁層３２の幅よりも小さく形成されている。例えば、第１の領域３５において、絶縁層３２は、導体層３３と同様の、台形状の切り欠け部３４が形成されている。
【００４０】
ここで、図４に示すフレキシブル基板２１において、範囲Ａの部分を拡大した模式拡大図を図８に示す。図８に示すように、フレキシブル基板２１の端部Ｍは、各撮像素子基板３ｒ、３ｇ、３ｂのそれぞれに接続され、フレキシブル基板２１のコネクタ２２は、画像制御基板２３に接続されている。これにより、各撮像素子基板３ｒ、３ｇ、３ｂのそれぞれで生成された信号は、伝送経路３１を通して伝送されて画像制御基板２３に入力される。
【００４１】
また、図８に示すように、複数の第１の領域３５において、フレキシブル基板２１は、信号の伝送方向（矢印Ｄ方向、図５参照）に対して直交する方向と平行に曲げられる又は湾曲される。複数の第１の領域３５において、例えば第２の領域３６の一方に配置される第１の領域３５が曲げられる又は湾曲される方向は、第２の領域３６の他方に配置される別の第１の領域３５が曲げられる又は湾曲される方向に対して逆方向である。つまり、フレキシブル基板２１は、複数の第１の領域３５により、蛇腹形状の形態を有する。これにより、曲げられた又は湾曲された第１の領域３５を複数箇所設けることで、曲げられた又は湾曲された部分の幅方向に直交する方向（フレキシブル基板２１の幅方向に直交する方向：矢印Ｄ方向）の柔軟性を得ることができる。その結果、複数の第１の領域３５により構成される蛇腹形状を有するフレキシブル基板２１を図４に示すように用いた場合には、固体撮像素子に与える応力負荷が緩和される。
【００４２】
次に、図８に示すようなフレキシブル基板２１の蛇腹形状部分を示す模式図を図９に示す。図９に示すように、フレキシブル基板２１は、第２の領域３６と、第１の領域３５を介して配置される別の第２の領域３６とは、平行に配置された蛇腹形状部分の形態を有する。
【００４３】
図９に示すように、端部Ｍは、上述したように、各撮像素子基板３ｒ、３ｇ、３ｂのそれぞれに接続され、端部Ｎは、コネクタ２２に接続されている。図９に示すように、伝送径路３１で伝送される信号は、一点鎖線で示される矢印Ｄ方向に伝送される。つまり、各撮像素子基板３ｒ、３ｇ、３ｂのそれぞれで生成された信号は、端部Ｍから端部Ｎに伝送される。このような蛇腹形状の部分において、第２の領域３６及び別の第２の領域３６のそれぞれは、点線で示される矢印４６及び４７の方向に、磁界を有する。第２及び別の第２の領域３６のそれぞれにおける信号の流れ（一点鎖線矢印Ｄ方向）は、互いに逆方向となるので、発生する各磁界の向き４６及び４７のそれぞれは、互いに逆方向になる。つまり、矢印４６の磁界の方向は、矢印４７の磁界の方向に対して逆方向である。これにより、第２及び別の第２の領域３６のそれぞれは、平行に配置されているので、発生する磁界を互いに打ち消し合うことができる。その結果、フレキシブル基板２１は、複数の第１の領域３５により構成される蛇腹形状においてフレキシブル基板２１自身からの輻射を抑制することができる。
【００４４】
また、本実施形態に係るフレキシブル基板２１の導体層３３は、図７に示されるように絶縁層３２の図示下面の略全体（ベタ構造）に形成されていると説明してきたが、フレキシブル基板に必要なシールド効果が十分に得られるのであれば、例えば網目状に形成されていてもよい。
【００４５】
このように、絶縁層３２上に配置され、信号端子から信号を伝送する伝送径路３１と、絶縁層３２を介して伝送径路３１と対向して配置され、接地されている接地径路を含む導体層３３とを備えるフレキシブル基板２１は、信号の伝送方向に沿って、第１の領域と、第１の領域に隣接する第２及の領域とに区分され、第１の領域３５における導体層３３の幅が第２の領域における導体層３３の幅より小さく形成されている構造が採用されているので、本実施形態に係るフレキシブル基板２１は、第１の領域において、必要な柔軟性を確保することができる。これにより、フレキシブル基板２１は、複数の第１の領域３５において、フレキシブル基板２１の信号の伝送方向（長手方向）に対して直交する方向と平行に曲げられる又は湾曲させられることができ、フレキシブル基板２１の曲げ又は湾曲による応力を低減させることができる。
【００４６】
さらに、フレキシブル基板２１は、接地させられる接地径路を含む導体層３３を有する構造が採用されているので、フレキシブル基板２１のインピーダンスを抑制して、信号波形の乱れを防止するとともに、必要なシールド効果を確保して、フレキシブル基板２１自身からの輻射を低減することができる。
【００４７】
また、本実施形態に係るフレキシブル基板２１は、第１の領域３５において、導体層３３の幅をより小さくなる構造が採用されているので、第１の領域３５において曲げられた又は湾曲された場合に、折り曲げの際にかかる引っ張り応力、伸縮応力が緩和されるので、伝送径路３１の伸縮を抑制することができる。その結果、伝送径路３１が断線することを防止することができる。また、フレキシブル基板２１は、複数の第１の領域３５において、曲げられ又は湾曲されて、蛇腹形状の構造を有するので、曲げられた又は湾曲された部分の幅方向に直交する方向の柔軟性を得ることができる。
【００４８】
また、本実施形態に係るフレキシブル基板２１が、図４に示すように、各固体撮像素子２ｒ、２ｇ、２ｂと接続される場合に、フレキシブル基板２１は、撮像素子基板３ｂの付近において、例えば、上述した第１の領域３５で湾曲させることができる。このように、フレキシブル基板２１は、必要な柔軟性を有しているので、フレキシブル基板２１の曲げによる応力を低減し、さらに、固体撮像素子へ付加される応力負荷を低減させることができる。
【００４９】
ここで、本実施形態の変形例であるフレキシブル基板５１の一部を伝送径路３１から見た模式平面図を図１０に示す。なお、図１０に示すフレキシブル基板５１の構造自体は、図５に示すフレキシブル基板２１と同じ構造であるため、同じ構成部材には同じ参照符号を付してその説明を省略する。また、図１０においても、図５と同様に、絶縁層３２を透過して図示されている。
【００５０】
図１０に示すように、第１の領域５５において、第１の領域５５における導体層５３の端部と第２の領域３６における導体層５３の端部とを接続する導体層５３の端部は、曲線形状で形成されている。つまり、図１０に示すように、第１の領域５５の導体層５３において、半楕円形状の切り欠き部５４が形成されている。これにより、フレキシブル基板５１における第１の領域５５は、第２の領域３６、に比べて、より一層に柔軟性を有することができる。その結果、第１の領域５５において、フレキシブル基板５１は、本実施形態に係るフレキシブル基板２１と同様の、信号の伝送方向（矢印Ｄ方向）に対して直交する方向と平行に曲げられる又は湾曲されることができる。
【００５１】
以上のように、本実施形態に係るフレキシブル基板は、比較的簡単な構造にて、必要な柔軟性を確保しながら、フレキシブル基板のインピーダンスを抑制して信号波形の乱れを防止するとともに、フレキシブル基板自身からの輻射を低減させることができる。また、本実施形態に係るフレキシブル基板が固体撮像素子を備える撮像装置に用いられた場合には、本実施形態に係るフレキシブル基板は、上述のように必要な柔軟性を有しているので、固体撮像素子へ付加される応力負荷を低減させることができ、レジストレーションの精度低下を抑制させることができる。
【００５２】
このように、本実施形態に係るフレキシブル基板においては、フレキシブル基板のインピーダンスの抑制による信号波形の乱れを防止及びフレキシブル基板自身からの輻射の低減と、固体撮像素子に付加される外力負荷の低減との両立をすることができる。
【００５３】
なお、上記様々な実施形態のうちの任意の実施形態を適宜組み合わせることにより、それぞれの有する効果を奏するようにすることができる。
【００５４】
本発明は、添付図面を参照しながら好ましい実施形態に関連して充分に記載されているが、この技術の熟練した人々にとっては種々の変形や修正は明白である。そのような変形や修正は、特許請求の範囲による本発明の範囲から外れない限りにおいて、その中に含まれると理解されるべきである。
【産業上の利用可能性】
【００５５】
本発明に係るフレキシブル基板は、比較的簡単な構造にて、フレキシブル基板において必要な柔軟性を確保しながら、フレキシブル基板のインピーダンスを抑制して信号波形の乱れを防止するとともに、フレキシブル基板自身からの輻射を低減させる効果を有し、電子デバイスからの電気信号の伝送を行うために用いられる一般的なフレキシブル基板に有用である。
さらに、本発明に係るフレキシブル基板は、固体撮像素子へ付加される応力負荷を低減する効果を有し、固体撮像素子を備えるテレビジョンカメラ、ビデオカメラなどの撮像装置等に有用である。
【図面の簡単な説明】
【００５６】
【図１】撮像ブロック及びフレキシブル基板の模式斜視図
【図２】図１のフレキシブル基板のＸ方向から見た模式断面図
【図３】従来の３板式カラーカメラにおける撮像ブロックの模式断面図
【図４】本実施形態に係るフレキシブル基板を備えた撮像装置の一例である３板カメラの構造を有する撮像ブロック及びフレキシブル基板の模式断面図
【図５】本実施形態のフレキシブル基板の構成を説明するための模式平面図
【図６】図５のフレキシブル基板のＢ方向から見た模式断面図
【図７】図５のフレキシブル基板のＣ方向から見た模式断面図
【図８】図４に示すフレキシブル基板において、範囲Ａの部分を拡大した模式拡大図
【図９】図８に示されるようなフレキシブル基板の蛇腹形状部分を示す模式図
【図１０】本実施形態の変形例に係るフレキシブル基板の模式平面図
【符号の説明】
【００５７】
１  ３色分解プリズム
１ｒ  プリズム部材（赤色）
１ｇ  プリズム部材（緑色）
１ｂ  プリズム部材（青色）
２ｒ  固体撮像素子（赤色用）
２ｇ  固体撮像素子（緑色用）
２ｂ  固体撮像素子（青色用）
３ｒ  撮像素子基板（赤色用）
３ｇ  撮像素子基板（緑色用）
３ｂ  撮像素子基板（青色用）
４、５  ダイクロイックミラー
６ａ  原色の光束（赤色用）
６ｂ  原色の光束（緑色用）
６ｃ  原色の光束（青色用）
７  光束
１０、２０  撮像ブロック
１１、２１、５１  フレキシブル基板
１２、２２  コネクタ
１３、３１  伝送径路
１４、３２  絶縁層
１５、３３、５３  導体層
３４、５４  切り欠き部
３５、５５  第１の領域
３６  第２の領域
【図１】
2009231684.tif 000003
【図２】
2009231684.tif 000004
【図３】
2009231684.tif 000005
【図４】
2009231684.tif 000006
【図５】
2009231684.tif 000007
【図６】
2009231684.tif 000008
【図７】
2009231684.tif 000009
【図８】
2009231684.tif 000010
【図９】
2009231684.tif 000011
【図１０】
2009231684.tif 000012